Podtech/llm-jp-corpus-v4-ja_patent huggingface dataset:
(57)【要約】      （修正有）【課題】寝た状態にある患者、老人などに対し、ベット、布団を濡らすことなく、身体の特定の部位を洗浄し得る水投射器具、及び水投射装置の構成を提供すること。【解決手段】水６の噴出部１、及び当該噴出部１と連通し、下部において水６の排出管３と接続されており、かつ側部が開口した状態にて、身体５と接し得る容器２を設けたことに基づき、身体５と容器の側部２２との当接部位において水６を漏洩せずに、身体５における特定の部位を洗浄し得る水投射器具、及び当該器具の下方に貯水槽４を設けたことによる水投射装置。【選択図】          図２
2004181051.tif 000002
【特許請求の範囲】
【請求項１】
水の噴出部、及び当該噴出部と連通し、下部において水の排出管と接続されており、かつ側部が開口した状態にて、身体と接し得る容器を設けたことに基づく身体に対する水投射器具。
【請求項２】
容器として、可撓性に対するプラスチック、又はゴムなどの変形し得る素材を採用したことを特徴とする請求項１記載の身体に対する水投射器具。
【請求項３】
容器において、排出管と接続されている排出口が最も下側の位置にあることを特徴とする請求項１記載の身体に対する水投射器具。
【請求項４】
請求項１記載の身体に対する水投射器具の排出管の下部に、貯水槽を設けたことに基づく身体に対する水投射装置。
【発明の詳細な説明】
【０００１】
【発明の属する技術分野】
本発明は、身体における特定の部位に対し、水を投射することによって濡らし、当該部位の洗浄を可能とすることを目的とする身体に対する水投射器具、及び装置に関するものである。
【０００２】
【従来の技術】
入院患者又は寝たきり老人の場合には、入浴が極めて困難であり、横位（寝た状態）にて身体の洗浄を行わねばならない場合が少なからず生じている。
【０００３】
しかも、床ずれの状態にある場合には、湿ったタオルによる洗浄さえも不可能である。
【０００４】
このような場合、寝た状態にある患者又は老人に対し、水を投射することを必要とするが、単に水を投射しただけでは、寝ている布団、ベットなどに水が落下することによって、これらが濡れた状態となり、その後の就寝に支障が生ぜざるを得ない。
【０００５】
即ち、寝た状態にある患者及び老人などに対し、身体における特定の部位に対する洗浄のために、水を投射することが極めて便利であるにも拘らず、これに対応した器具が開発されていなかった。
【０００６】
【発明が解決しようとする課題】
本発明は、上記の如き従来技術の状況に鑑み、身体における特定の部位に対し、水を投射する器具、更には当該器具を使用した装置に関する構成を提供することを課題とするものである。
【０００７】
【課題を解決するための手段】
前記課題を解決するため、本発明の構成は、水の噴出部、及び当該噴出部と連通し、下部において水の排出管と接続されており、かつ側部が開口した状態にて、身体と接し得る容器を設けたことに基づく身体に対する水投射器具からなる。
【０００８】
【発明の実施の形態】
本発明の基本的な実施形態は、図１に示すように、水噴出部１、容器２、排出管３の３要素から構成されており、当該容器は水噴出部１と連通しており、排出管３は、容器２の下方に設けられており、噴射部１から噴射した水６を身体５に投射することを実現するために、当該噴出部１と反対側に位置している容器の側部２２は開口した状態となっている。
【０００９】
上記のような基本構成による実施形態に基づき、噴射部１から噴射した水６は、容器２が当接している身体５における特定の部位に投射され、その後、容器２の下方に落下し、排出管３によって下方に配置されることになる。
【００１０】
本発明の器具を使用している部屋内において、水６を排出するための排出口が存在する場合には、排出管３を当該排水口と接続させれば良い。
【００１１】
これに対し、前記部屋内に当該排水口が存在しない場合には、図２に示すように、水投射器具の下方に、別途貯水槽４を設置し、排出管３からの水５を貯水槽４に排出させると良い。
【００１２】
即ち、本発明においては、水投射器具を貯水槽４と一体構成とすることによって、身体５に対する水投射装置を構成することができる。
【００１３】
容器の側部２２は、身体５に接し、しかも多少身体に食い込んだ状態にて当接させることによって、当該当接部分から漏洩せずに、排出管３を介して布団などを濡らすことなく、内部に水５を排出することができる。
【００１４】
容器２を形成する素材は特に限定される訳ではないが、一般に金属性の容器２は、身体５に対し冷たい感情を与えるので、好ましくない。
【００１５】
実際に採用される容器２の素材としては、可撓性を有するプラスチック、又はゴムのような変形可能な素材が、身体５に対し密着し易く、水６の漏洩を極力防止できるので好ましい。
【００１６】
本発明の器具及び装置は、単に水６による洗浄だけでなく、予め石鹸水を身体５における特定の部位に投射したうえで、その後、水５を投射することによって洗浄するという使用方法も可能である。
【００１７】
本発明の器具及び装置において、前記のように石鹸水を使用するだけでなく、水６に薬品など、他の物質を混合した状態にて使用することも当然可能であり、このような使用によって、本発明の器具及び装置は多目的な用法を完遂することができる。
【００１８】
以下実施例に即して説明する。
【００１９】
【実施例】
実施例においては、図３に示すように、容器２において、排出管３と接続されている排出口が最も下側の位置にあることを特徴としている。
【００２０】
このような実施例の場合には、噴射部１から噴射され、容器２内において身体５に投射された水６は、確実に容器２内の最も下側の位置である排水口に移行し、貯留されることなく排水されるので、身体５との当接部分から水６が漏洩することを十分防止することができる。
【００２１】
【発明の効果】
以上の如き構成による本発明においては、床ずれなどが生じている患者又は老人に対し、寝た状態にて、しかもベットや布団を濡らすことなく、身体の洗浄を行うことができる。
【００２２】
このように、本発明は簡単な構成でありながら、入浴ができない患者、老人などの身体の衛生上、多大な貢献をすることができ、その価値は絶大である。
【図面の簡単な説明】
【図１】本発明の基本原理を示す側断面図（矢印は、水の移動方向を示しており、図２及び図３においても同様である。）。
【図２】水投射器具と貯水槽を結合したことによる水投射装置を示す側断面図。
【図３】実施例による容器の構成を示す側断面図。
【符号の説明】
１  噴出部
２  容器
２１  容器の排出口
２２  容器の側部
３  排出管
４  貯水槽
５  身体
６  水
【図１】
2004181051.tif 000003
【図２】
2004181051.tif 000004
【図３】
2004181051.tif 000005
(57)【要約】【課題】ビンゴを個人で楽しめる様リサイジングするに当たってゲ−ムの完成率を如何に定めるか、又幼児が使用する時に際して認識を高める方式、ビンゴカ−ドの繰り返しての使用に耐える方式への置き換え等ゲ−ム機能の新解釈。【解決手段】ハンディを最要件としてビンゴカ−ドを３列３段の回転する角柱とし反復使用に耐えられる構造とした。ビンゴボ−ルは使用できず代わりに回転板を用い、本体に設けた指針との合致で区分標識を選択した。幼児の使用に対しては文字数字より認識し易い絵を用いる事とした。【選択図】  図１
2004181032.tif 000002
【特許請求の範囲】
【請求項１】
匡体の一部に桝目を造り此処に中心を軸として回転出来る多面柱の一面を桝内に表示する様に取付る。桝目と隣接して匡体平面に平行に回転する円板又は多角形の回転板を置き此の回転板の面を周縁に沿って区分しそれぞれの区分を明らかにする標識を賦す、回転板を回わし停止した時に匡体上に設けた指標が示す標識と桝目の標識が一致した時に桝目に組み込まれた多面体を回転させ新たなる面を表示する。此の新たな表示面が壱線上に並んだ時ゲ−ムが完成するハンディビンゴ機。
【請求項２】
請求項１の回転板が交換、又は裏面使用も出来るハンディビンゴ機。
【発明の詳細な説明】
【０００１】
【発明の属する技術分野】
教育玩具に属する
【０００２】
【従来の技術】
従来のビンゴゲ−ムは大多数の人数から一部を選出する手段として用いられる点から装置も大がかりで２桁の乱数に依る２５桝の数字列を埋めるゲ−ムで乱数発生装置として数字を標識とするボ−ルを用いボ−ルの保管部より無作為に１箇づつ選択しボ−ルを区別する標識に依ってゲ−ムカ−ドを埋める。２桁の数から２５組を選ぶ組み合わせ数でも膨大な数で在り、２５組の数を並べ変える順列数も重複を除いてもかなり大きな数と成る。
【０００３】
【発明が解決しようとする課題】
掌中で簡易に遊ぶ方式として現状の侭のビンゴではカ−ド量が多すぎる事が上げれる。カ−ド数を減らす手段として２５桝の組み合わせでなく１６桝又は９桝の組み合わせとし要素数を減らして全体を小さくする必要が在る。要素数が出尽くせば如何なるカ−ドで在っても全桝が埋まるが其れ以前にどこかの時点で１線となってゲ−ムが終了する。
【０００４】
【課題を解決するための手段】
ミニ器として合致させる標識は数字に拘らず幼児でも識別容易な絵、キャラクタ−等が考えられる、余りに容易な合致はゲ−ムとしての面白味を損なうが余りに少ないゲ−ム完成率でも興味を損なう結果となる。要素が大で在ると匡体が大きくなり掌の中に納まらない事とゲ−ム完成迄の反復回数が増し徒に時間を要する結果から回転板の区分要素数を減じ桝目の数も減じて区分標識の大きさを保ち幼児でも認識し易い形とした。
【０００５】
【発明の実施の形態】
図１では桝目は３列３段の９箇とし、回転板も９分割とした例を示す。ビンゴの形を取って居ても主眼は幼児の認識力養成に主眼を置き敢えて複雑なゲ−ム構成を避けて単純化しゲ−ム完成率を高めた。
桝目の区分を表示する回転柱は４角とし桝目を４種に変化出来る方法を取る事で絵合わせ、字合わせ等に対応可能とした。
【０００６】
【実施例】
図２は角柱の例を示す。実施に当たっては回転板の標識に絵を用い桝目の多面体には標識に対応する単語、英単語、標識と同じ絵を用いた。回転板の表裏にも同様に絵、単語、英単語、を用い何れとも組み合わせが自由に出来る形式を取ってゲ−ムの複雑化を計った。
回転板は２枚用意しそれぞれの表裏の文字、絵を入れ更に数字も使い僅か乍らビンゴの気配を持たせた。回転板と軸との嵌合は６角形として確実且つ正確に嵌合わせムラ無く回転出来る様に軸を太くし抜け止めを設けた。
【０００７】
実施例は桝目を構成する４角柱の面を１４ｍｍｘ１６ｍｍとして匡体巾を６５ｍｍとし角柱の回転を考慮して２０ｍｍピッチに並べ回転板径を６０ｍｍとし全長を１２５ｍｍに押さえた。
１４ｍｍｘ１６ｍｍ内に絵あるいは文字を入れるのは印刷技術の発達した現在では何等問題は無かった。図３は回転板の区分例を示す。
【０００８】
【発明の効果】
回転板をムラ無く回転させる事で標識の停止位置は偏らず５〜６回でゲ−ムが成立して略満足すべき完成率を得た。匡体はハンディタイプとしては大きさも手頃であり重量的にも安定感の在る範囲に納まった。
【図面の簡単な説明】
【図１】実施例の外観を示す。
【図２】桝目に標識を構成する角柱の構造を示す。
【図３】回転板の構造例を示す
【図１】
2004181032.tif 000003
【図２】
2004181032.tif 000004
【図３】
2004181032.tif 000005
(57)【要約】【課題】低消費電力化のために、システムの状態に応じて電源電圧を変化させた場合でも、使い勝手を損なわないようにすることである。【解決手段】機器本体１に対する指示を操作入力し、操作内容や機器本体１の動作状態等を表示するリモコン３と、機器本体１およびリモコン３に電力を供給する電源２とを有し、前記機器本体１の電源電圧を変化させた場合に、リモコン３が自動的に電圧に応じた動作を行なうようにしたものである。【選択図】  図１
2004180103.tif 000002
【特許請求の範囲】
【請求項１】
機器本体に対する指示を操作入力し、操作内容や機器本体の動作状態等を表示するリモコンと、機器本体およびリモコン等に電力を供給する電源とを有し、前記機器本体の電源電圧を変化させた場合に、前記リモコンが自動的に電圧に応じた動作を行なうことを特徴とする遠隔制御システム。
【請求項２】
機器本体に対する指示を操作入力し、操作内容や機器本体の動作状態等を表示するリモコンと、機器本体およびリモコン等に電力を供給する電源とを有し、前記機器本体の電源電圧を変化させた場合に、前記リモコンのマイコンが電圧を判定して電圧に応じた動作を行なうことを特徴とする遠隔制御システム。
【請求項３】
機器本体の電源電圧を変化させた場合に、前記リモコンの表示を切替えることを特徴とする請求項１または２記載の遠隔制御システム。
【発明の詳細な説明】
【０００１】
【発明の属する技術分野】
本発明は機器本体を、遠隔操作する遠隔制御システムに関するものである。
【０００２】
【従来の技術】
従来この種の遠隔制御システムは、一定の電源により動作させていた。
【０００３】
【発明が解決しようとする課題】
しかしながら、従来の遠隔制御システムでは、一定の電源で動作させていたため、システムの状態によっては電源の効率が悪くなるので電源電圧を変化させたいが、電源電圧を変化させた場合にはリモコンが対応していないために使い勝手が悪くなるという課題を有していた。
【０００４】
【課題を解決するための手段】
上記課題を解決するために、本発明の遠隔制御システムシステムは、機器本体に対する指示を操作入力し、操作内容や機器本体の動作状態等を表示するリモコンと、機器本体およびリモコン等に電力を供給する電源とを有し、前記機器本体の電源電圧を変化させた場合に、前記リモコンが自動的に電圧に応じた動作を行なうようにしたものである。
【０００５】
上記発明によれば、消費電力の削減のために電源電圧を変えた場合でも、リモコンの動作が適切に行なえるので使い勝手を損なうことなく低消費電力化を行なうことができる。
【０００６】
【発明の実施の形態】
本発明は、機器本体に対する指示を操作入力し、操作内容や機器本体の動作状態等を表示するリモコンと、機器本体およびリモコン等に電力を供給する電源とを有し、前記機器本体の電源電圧を変化させた場合に、前記リモコンが自動的に電圧に応じた動作を行なうようにしたので、使い勝手を損なうことなく低消費電力化を行なうことができる。
【０００７】
また、機器本体に対する指示を操作入力し、操作内容や機器本体の動作状態等を表示するリモコンと、機器本体およびリモコン等に電力を供給する電源とを有し、前記機器本体の電源電圧を変化させた場合に、前記リモコンのマイコンが電圧を判定して電圧に応じた動作を行なうにしたので、使い勝手を損なうことなく低消費電力化を行なうことができる。
【０００８】
さらに、機器本体に対する指示を操作入力し、操作内容や機器本体の動作状態等を表示するリモコンと、機器本体にはリモコン等に電力を供給する電源とを有し、前記機器本体の電源電圧を変化させた場合に、前記リモコンの表示を切替えるので使い勝手を損なうことなく低消費電力化を行なうことができる。
【０００９】
【実施例】
以下、本発明の実施例について図面を用いて説明する。
【００１０】
図１において、１は機器本体、２は機器本体１に内蔵された電源、３はリモコン、４はリモコン３に内蔵されているマイコン、５はリモコン３に内蔵されている低電圧電源、６はリモコン３に内蔵されている蛍光表示管ドライバー、７はリモコン３に内蔵されている蛍光表示管、８はリモコン３に内蔵されている液晶表示素子である。
【００１１】
機器本体１が動作中は、リモコン３での表示を蛍光表示管７で行なうので大きな電力が必要なために、機器本体１の電源２は高い電圧を供給する。このときは、蛍光表示管ドライバー６が動作できるだけの電源電圧が供給されているために、マイコン４の制御によって蛍光表示管７が機器本体１の動作状態や操作内容を表示する。
【００１２】
機器本体１がスタンバイ状態でリモコン３での表示情報が少ない時には、機器本体１の電源２は、低電圧電源５が動作可能なレベルの低い電圧を供給するので、蛍光表示管ドライバー６は動作できないので蛍光表示管７での表示はできないが、液晶表示素子８は低電圧での動作ができるため必要最小限の表示を行なうことができ、使い勝手を損なうことなく消費電力の低減を行なうことができる。
【００１３】
また、機器本体１がスタンバイ状態の時に、リモコン３での表示が必要ない場合は、液晶表示素子８を使用しないシステムにすることも可能である。
【００１４】
ここで、マイコン４が電源２からの供給電圧を監視して、電圧が低い時には蛍光表示管ドライバー６への電源供給を遮断すれば、さらにリモコン３での電力消費を低減させることができる。
【００１５】
【発明の効果】
以上のように本発明によれば、システムの状態に応じて電源の電圧を変化させて低消費電力化を行なった場合でも、使い勝手を損なうことが無いという有利な効果を有する。
【図面の簡単な説明】
【図１】本発明の一実施例としての遠隔制御システムのブロック図
【符号の説明】
１  機器本体
２  電源
３  リモコン
４  マイコン
７  蛍光表示管
８  液晶表示素子
【図１】
2004180103.tif 000003
(57)【要約】【課題】携帯電話に用いられる言語は、携帯電話間で、互換性がなく、使用者の用いる言語のみ、伝達されるが異なる言語では、使用者の用いる言語知識に限度があり、伝達することが、極めて困難だった。【解決手段】携帯電話に翻訳機能を持たせ、ディスプレイ表示、ｉモードメール通信を行う。【選択図】図１
2004180251.tif 000002
【特許請求の範囲】
【請求項１】
翻訳機能を備え、翻訳表示及び通信を行う携帯電話
【請求項２】
各国別、地域別の言語翻訳機能を持たせ、複数の言語の翻訳・通信ができることを特徴とする請求項１記載の携帯電話。
【発明の詳細な説明】
【０００１】
この発明は、通信・伝達用に用いる携帯電話の機能に関する。
【０００２】
【従来の技術】
従来の、通信・伝達に用いる携帯電話の機能は、国別、言語別に作られていた。
【０００３】
【発明が解決しようとする課題】
しかしながら、以上の従来技術によれば、使用者の言語・知識が一致しなければ情報の伝達が、不可能だった。
そこで、この発明は、通信・伝達に用いる携帯電話に翻訳機能を、与えることを目的とする。
【０００４】
【課題を解決するための手段】
各国別、地域別の言語翻訳機能を持たせ、複数の言語の翻訳・通信ができることを特徴とする、翻訳表示及び通信を行う携帯電話。
以上の課題を、解決するために、請求項１の発明は、携帯電話に翻訳機能を設けたことを特徴とする携帯電話である。
また、請求項２の発明は、翻訳機能を持たせ複数の言語の翻訳・通信ができることを特徴とする携帯電話である。
【０００５】
図１ａでｉｎｐｕｔ言語を選ぶ。ｂでｏｕｔｐｕｔ言語を指定する。インプットキーからｉｎｐｕｔ言語を入力する。「これは、いくらしますか。」ｃ変換キーを決定する。ｄ「Ｈｏｗ  ｍｕｃｈ  ｍｏｎｅｙ  ｔｈｉｓ  ｉｓ．」と表示する。ｅ送信キー決定。ｉモードｅメール送信する。
受信者は、ｉｎｐｕｔ言語とｏｕｔｐｕｔ言語を受け取る。変換エンジンは何でもいい。外部にホストコンピーュタを置き、携帯電話は端末として使用する。
【０００６】
「実施形態の効果」
この実施形態によれば、翻訳機能の働きで、意思の疎通が図れる。従って、言語の異なる通信者でも、通信・伝達が可能となる。
【０００７】
【発明の効果】
以上、説明したように、この発明によれば、携帯電話に翻訳・通信機能を設けたので、誰でも、言語が異なっても、意思の伝達が可能となる。
【図面の簡単な説明】
【図１】この発明の一実施形態を示す平面図である。
【符号の説明】
ディスプレイ
ａ：ｉｎｐｕｔ言語ボタン
ｂ：ｏｕｔｐｕｔ言語ボタン
ｃ：変換ボタン
ｄ：変換言語
ｅ：送信ボタン
【図１】
2004180251.tif 000003
(57)【要約】【課題】カメラ付き携帯電話により撮影した写真画像や画像をもとに写真入千社札および写真入ネームシールの作成することを実現する装置およびシステムに関するものである。【解決手段】赤外線通信や通信ケーブル接続等による通信手段によりカメラ付き携帯電話機内の画像をよみとり、タッチパネルなどの操作パネルを利用した操作によって、千社札およびネームシールのレイアウト（デザイン）の選択や文字情報の入力を行い印刷を行う装置およびシステムを提供する。【選択図】図２
2004180249.tif 000002
【特許請求の範囲】
【請求項１】
本発明は、本体に画像を保存できる機能を持つカメラ付き携帯電話機を使い、撮影した画像情報を印刷装置に転送し、その画像情報を利用した写真入千社札や写真入ネームシールを印刷するシステム及び装置である。
【請求項２】
請求項１において、写真入千社札の作成にあたり、前記印刷装置上にタッチパネル等を設け、名前の入力、レイアウト（デザイン）の選択、差込の祈願文字などを加える事が可能な特徴を持つ。
【請求項３】
請求項１において、写真入ネームシールの作成にあたり、前記印刷装置上にタッチパネル等を設け、名前の入力、レイアウト（デザイン）の選択、メッセージや電話番号や電子メールアドレスなどを加える事が可能な特徴を持つ。
【請求項４】
請求項１において、前記印刷装置と携帯電話機の画像情報を転送する通信方法は、赤外線通信や、通信ケーブル接続などの通信方法等によって行う事が可能な特徴を持つ。
【請求項５】
請求項１において、前記印刷装置を商業施設内に設置し、課金ユニットをつける事で料金を徴収する事が出来る特徴を持つ。
【発明の詳細な説明】
【０００１】
【発明の属する技術分野】
本発明は、携帯電話機に保存された写真等の画像情報を赤外線通信や通信ケーブル接続等による通信手段を用いて印刷装置へ転送し、印刷装置のタッチパネル等の操作パネルを用いて画像加工や文字情報入力を行い、写真入千社札や写真入ネームシールを印刷するシステム及び方法に関する。
【０００２】
【従来の技術】
近年、携帯電話機の機能は増加の一途にあり、デジタルカメラ機能や、赤外線通信機能などを搭載した機種が携帯電話機の使用者に多大な便宜を供与しているといえる。
【０００３】
また、携帯電話機に搭載されたカメラ機能の性能も著しく上がっており、解像度（画像の情報量）や携帯電話機内の保存容量の向上に伴い画像情報は端的に閲覧するだけでは無く、印刷用途が要求されるといえる。
【０００４】
【発明が解決しようとする課題】
しかし携帯電話機に印刷機能は搭載されておらず、元来、単体の印刷装置は比較的、重量や体積があることから、携帯するには不向きな装置といえる。
【０００５】
写真を印刷する場合、印刷装置にカメラ装置を搭載しなければならない。これは印刷装置のコストがカメラ装置分高価になるといえる。
また印刷装置にカメラを搭載する事は、カメラでの撮影場所を印刷装置の設置場所に限定する事になり、利用者の用途を著しく限定するといえる。
【０００６】
本発明は上記課題に鑑みてなされたものであり、請求項１の携帯電話機内に保管された写真等の画像情報を任意の商業施設内に設置された前記印刷装置に転送する事で、カメラ付き携帯電話機を持ち運べる場所に撮影場所が拡張され、利用者がカメラ付き携帯電話機を持つ事で印刷装置を安価にする事を可能とする。
【０００７】
【課題を解決するための手段】
請求項１と請求項３において、カメラ機能を搭載した携帯電話機等に保管された画像情報を、赤外線通信や、通信ケーブル接続等で行う事で、請求項１の印刷装置に画像情報の転送を可能とする。
【０００８】
請求項２および請求項３において、前記携帯電話機内から転送し前記印刷装置にある画像情報を前記印刷装置上にあるタッチパネル等の操作パネル上から操作し、レイアウト（写真入千社札や写真入ネームシール等のデザイン）等や文字情報を入力し画像情報を加工した印刷を行う。
【０００９】
【発明の実施の形態】
図１は本システムのチャートを示し、その構成を図２に示す。
【００１０】
図３は写真入千社札シールの構成を示し。図４は写真入ネームシールの構成を示す。
【００１１】
カメラ付き携帯電話機で撮影された写真画像等、携帯電話機内に本発明のシステムにおいて使用したい画像情報を保管しておく。（３），（１２）
【００１２】
請求項１の印刷装置に搭載されているタッチパネル等の操作パネルから操作し、請求項１の携帯電話機からの通信を受ける状態にする。（４），（１３）
【００１３】
赤外線通信や通信ケーブル接続方法を用い、前記携帯電話機と前記印刷装置の通信手段を確立する。（５）
【００１４】
前記携帯電話機内に保管されている画像情報を前記印刷装置に転送する。（６）
【００１５】
前記操作パネル等から写真入千社札シール（２０）や写真入ネームシール（２４）を選択（７）し、画面のレイアウト（デザイン）（１７），（２２）を選択（８）し、文字情報（１８），（２３）を入力（９）し、前記携帯電話機より転送した画面に加工処理を行う。（１０），（２０），（２４）
【００１６】
写真入千社札の場合、祈願内容も選択する。（１９）
【００１７】
前記操作パネル等から印刷を選択し印刷をする（１１）
【００１８】
【発明の効果】
【００１９】
携帯電話機のカメラで撮影した画像が印刷装置を携帯せずとも、付近の商業施設内に設置された印刷装置から写真入ネームシールや写真入千社札等の印刷が出来るようになる。
【００２０】
写真入ネームシールや写真入千社札に、印刷装置に搭載されているタッチパネル等の操作パネルから、安易に文字情報の追加や、レイアウト（デザイン）の選択が出来るようになる。
【００２１】
請求項１の携帯電話機からの所有者の情報を安易に取り出す事が出来、利用者は操作上の手間を減らす事が出来る。
【図面の簡単な説明】
【００２２】
図１はカメラ付き携帯電話機連携写真入千社札・シールプリントシステムのチャートを示す。
【００２３】
図２は本発明の構成を示す。
【００２４】
図３は写真入千社札シールの構成を示す。
【００２５】
図４は写真入ネームシールの構成を示す。
【図１】
2004180249.tif 000003
【図２】
2004180249.tif 000004
【図３】
2004180249.tif 000005
【図４】
2004180249.tif 000006
【手続補正書】
【提出日】平成15年2月24日(2003.2.24)
【手続補正１】
【補正対象書類名】明細書
【補正対象項目名】図面の簡単な説明
【補正方法】変更
【補正の内容】
【図面の簡単な説明】
【図１】はカメラ付き携帯電話機連携写真入千社札・シールプリントシステムのチャートを示す。
【図２】は本発明の構成を示す。
【図３】は写真入千社札シールの構成を示す。
【図４】は写真入ネームシールの構成を示す。
(57)【要約】【課題】改良された箸の提供を目的としている。【解決手段】本発明は、箸が保持されるための第１端部と食べ物が掴まれたり持ち上げられたりするための第２端部とを有する伸長ボデイを備えた箸に関し、第２端部はギザギザ部を備え、このギザギザ部により大サイズの食べ物はより小さくされることができ、より小さいサイズの食べ物は上記の箸を用いて普通の方法で掴まれまたは持ち上げられて食べられ得る。【選択図】  図１
2004180913.tif 000002
【特許請求の範囲】
【請求項１】
箸が保持されるための第１端部と食べ物が掴まれたり持ち上げられたりするための第２端部とを有する伸長ボデイを備えた箸において、第２端部がギザギザ部を備えていることを特徴とする、箸。
【請求項２】
ギザギザ部が第２端部に固着されたギザギザエッジ付き部品により形成されている、請求項１に記載の箸。
【請求項３】
第２端部それ自体がギザギザ付き部分として具体化されている、請求項１に記載の箸。
【請求項４】
１膳の箸の少なくとも１本が上記請求項のいずれかにより形成されている、１膳の箸。
【請求項５】
第１および第２の端部が互いに不可分に連結されている、請求項１ないし４の何れかに記載の箸。
【請求項６】
ギザギザエッジ付き部分が伸長ボデイに不可分に連結されている、請求項２に記載の箸。
【発明の詳細な説明】
【０００１】
【発明の属する技術分野】
本発明は、箸が保持されるための第１端部と食べ物が掴まれたり持ち上げられたりするための第２端部とを有する伸長ボデイを備えた箸に関する。
【０００２】
【従来の技術】
普通の箸は、箸が保持されるための断面４角形または円形の端部と食べ物が掴まれたり持ち上げられたりするための断面円形の端部とを備えている。これらの箸は或る一定サイズの食べ物を挟んだり、持ち上げたりするには充分間に合う。しかしながら、大きめの魚、家禽、肉または野菜を食するには、現在の一般的な箸は扱いにくい。
【０００３】
ＦＲ−２６９８７７２（特許文献１）で知られているステイックは伸長ボデイを備え、その第２端部はねじ切りにより作られている。第２端部は選択的にナイフのような刃物類セットの一部であったり、または上述のような食べ物を掴むための箸端部である。しかしながら、このような公知のステイックの使用には時間の無駄がありかつ非現実的であり、その理由はナイフは食べ物を掴みかつ取り上げるのに適しておらず、従って食べ物がカットされた後にナイフを箸に取りかえる必要が生ずるからである。またナイフの使用は永年にわたり箸で食してきて得た技術を有するユーザーのプライドを傷つけるものである。
【０００４】
【特許文献１】
ＦＲ−２６９８７７２
【０００５】
【発明が解決しようとする課題】
本発明は改良された箸の提供を目的としている。
【０００６】
【課題を解決するための手段】
この目的のもとに、本発明による箸は、第２端部がギザギザ部（刻み目）を備えていることを特徴としている。ギザギザ部の使用により大サイズの食べ物はより小さくされることができ、従ってより小さい食べ物片は掴まれまたは持ち上げられかつ箸を用いて普通の方法で食され得る。
【０００７】
第１の実施例によると、このギザギザ部は第２端部に固着されたギザギザエッジ付きの部品により形成される。この箸は製造容易である。
【０００８】
第２の実施例によると、第２端部それ自体が鋸歯状に刻み込まれている。このように、箸本来の形が出来るだけ損なわれないので、切り込みを入れた箸は、より受け入れられ易くなる。
【０００９】
また、本発明は、１膳の箸の少なくとも一方がギザギザ付きのもので構成されている１膳の箸に関する。しかしながら、もし１膳分の箸の両方共がギザギザ部を備えている場合には、箸を互いに逆方向へ動かすことにより、大きいサイズの魚、家禽、肉および野菜を小さくなるように切る事ができる。
【００１０】
本発明は添付図面を参照することにより、更に解明されるであろう。
【００１１】
【発明の実施の形態】
本発明による箸は食べ物片を掴み、持ち上げかつ口へ運ぶために普通の方法で取り扱われる（図１参照）。この箸は、箸が保持されるてめの第１端部２と食べ物片が個々に掴まれたり持ち上げられたりするための第２端部３とを有する伸長ボデイ１を備えている。第１端部２および第２端部３はボデイ１上で互いに不可分に連結されている。この第２端部３はギザギザ部４を備えている。このギザギザ部４は例えば第２端部３に固着されたギザギザエッジ付きの部品により形成されるか（図２）または第２端部３のそれ自体がギザギザ付き部品として具体化され得る（図３）。即ち、ギザギザ部４は伸長ボデイ１に対して不可分に連結されている。
【００１２】
当業者にとって明らかなことは、ギザギザ部が第２端部上に異なる方法で形成され得ることである。このギザギザ部は異なる形状および寸法を持ち得る。直線または曲線のエッジに沿う丸みを帯びたノッチ、刻み目または歯の形のギザギザ部も実現可能である。この箸は好ましくはプラスチックまたは木で製造されるが、金属または他の材料によっても（部分的にも）作られ得る。
【図面の簡単な説明】
【図１】図１は本発明の第１実施例による１膳（１対）の箸を操作している手を示している。
【図２】図２は第１実施例による箸の部分斜視図である。
【図３】図３は第２実施例による箸の部分斜視図である。
【符号の説明】
１            伸長ボデイ
２            第１端部
３            第２端部
４            ギザギザ部
【図１】
2004180913.tif 000003
【図２】
2004180913.tif 000004
【図３】
2004180913.tif 000005
(57)【要約】【課題】打具を用いるスポーツで使う手袋で、縫着線を介さずに打具を保持できるようにして、フィット感を改善すると共に、縫い目からの破損を防ぎ、耐久性を改善する。【解決手段】少なくとも親指腹部から、人差し指の付け根を通り、人差し指の外方側面と人差し指腹部にかけて、縫着線が存在しないように一体に裁断された掌生地を、甲生地と掌補助生地と縫着一体化することで製造した手袋であり、拇指内転筋にあたる位置には甲生地や掌生地よりも厚く、耐熱性に富んだ生地を用いる。【選択図】                図２
2004180919.tif 000002
【特許請求の範囲】
【請求項１】
少なくとも親指腹部（８）から、人差し指の付け根を通り、人差し指の外方側面と人差し指腹部にかけて、縫着線が存在しないように一体に裁断された掌生地（２）を、甲生地（１）と掌補助生地（３）と縫着一体化することを特徴とした手袋。
【発明の詳細な説明】
【０００１】
【発明の属する技術分野】
本発明は、野球やゴルフのように、打具を用いるスポーツにおいて、打具を握りやすくするための手袋に関するものであり、さらに詳しくは、打具を握りやすくするために、手袋の縫着線の位置を調整した手袋に関する。
【０００２】
【従来の技術】
従来から、縫い目による違和感を解消して、フィット感を高めた手袋は提案されている。その多くは、甲生地と掌生地が一体であり、親指袋体を取り付ける位置に孔部を有する手袋本体の生地を形成し、親指袋は別体として形成し、手袋本体の孔部に縫着するというものである（例えば、特許文献１）。
【０００３】
また一部の手袋では、一差し指の側面に指の袋体よりも長いマチ生地を配置し、親指袋体まで連続するようにして、縫着線を甲と掌の境界ではなく、掌の内側にずらすように配置することで、フィット感を改善する試みも為されている（例えば、特許文献２）。
【０００４】
【特許文献１】
実開平５−８４３６４
【特許文献２】
特開平８−８４７９９
【０００５】
【発明が解決しようとする課題】
しかし、特許文献１のように、親指分を別の袋体で構成して手袋本体に縫着する方法では、最も繊細なフィット感が必要な親指の腹部には縫着線がなくなるものの、親指の付け根部分を一周する縫着線が生じることとなり、バットやゴルフクラブを握ったときに、親指と人差し指の間に違和感を生じるという問題点を有していた。
【０００６】
また特許文献２のように、人差し指の側面にマチ生地を設けることにより、縫着線を掌の内側にずらして配置した場合でも、親指の袋体を形成する生地の縫着線は、親指の付け根部分からに人差し指に向けて、掌生地と甲生地を一体化させる縫着線と連続させる必要がある。
【０００７】
このため、例えばバットスイングのように、親指と人差し指でリングを作り、打具を握る場合には、リングのどこかで縫着線を介して打具を保持することになり、フィット感を損ねるばかりではなく、縫い目に摩擦が生じ、耐久性も劣化するという問題点を有していた。
【０００８】
本発明は、かかる問題点を解決するために、親指腹部から人差し指付け根を通り、人差し指外方側面と人差し指腹部にかけて、縫着線が存在しないようにすることで、打具と掌の密着感を改善することを目的とする。
【０００９】
【課題を解決するための手段】
課題を解決するための、請求項１における本願発明は、少なくとも親指腹部から、人差し指の付け根を通り、人差し指の外方側面と人差し指腹部にかけて、縫着線が存在しないように一体に裁断された掌生地を、甲生地と掌補助生地と縫着一体化することを特徴とした手袋である。
【００１０】
【発明の実施の形態】
本発明の実施の形態を、図を用いて説明する。図１は、本発明の甲生地１の裁断図である。人差し指の側面に縫着線が存在すると、打具を握る面に縫い目が現れるので、人差し指の側面だけが短くして親指甲部に繋げるようにする。短くした人差し指の側面Ｅラインは図２の人差し指のマチ部のＥラインと縫着される。
【００１１】
図２は、本発明の掌生地２の裁断図である。人差し指の外方側面にマチ部５を設け、マチ元部６から連続する親指袋部７を設けた。このようにすることで、親指腹部８から人差し指にかけて、縫着線のない手袋とすることができる。マチ元部６の幅を広くすることで、打具を握る位置から縫着線を遠くすることができる。打具の太さによりマチ元部６の幅の設計値は変わるが、概ね１５ｍｍ以上３０ｍｍ以下とすることが望ましい。
【００１２】
図３は、本発明の掌補助生地３の裁断図である。この掌補助生地３のＡラインを甲生地親指外方側面と縫着し、Ｂラインを図２のＢラインと縫着し、Ｃラインをマチ元部６に縫着することで、手袋の拇指内転筋をカバーする位置に配置することができる。
【００１３】
また、拇指内転筋部分は、特に打具を握るときの摩擦が加わりやすい部位なので、甲生地や掌生地よりも耐熱性の高い生地を用いることが望ましい。
【００１４】
【発明の効果】
本願発明の手袋は、少なくとも親指の腹部から拇指内転筋から人差し指の付け根を通り、人差し指の外方側面と人差し指腹部にかけて、縫着線が存在しないように一体に裁断された掌生地を、甲生地と掌補助生地と縫着一体化することで、打具を握ったときに縫着線が打具と手の間に介在しないようにすることができるので、フィット感を改善することができる。
【００１５】
また、摩擦熱や衝撃力を受けて破損しやすい縫着線が打具と手の間に存在しないので、手袋の耐久性を改善することができる。さらには、拇指内転筋に対応する位置に、甲生地や掌生地とは異なる掌補助生地を用いたので、掌補助生地の材質を耐熱性に優れたものや皮を厚くすることで、さらに耐久性を上げることができる。
【図面の簡単な説明】
【図１】図１は実施例の手袋の甲生地裁断図である。
【図２】図２は実施例の手袋の掌生地裁断図である。
【図３】図３は実施例の手袋の掌補助生地裁断図である。
【符号の説明】
１  甲生地、２  掌生地、３  掌補助生地、４  親指甲部、５  マチ部、６  マチ元部、７  親指袋部、８  親指腹部
【図１】
2004180919.tif 000003
【図２】
2004180919.tif 000004
【図３】
2004180919.tif 000005
(57)【要約】【課題】従来、冬季など寒い気温条件でのゴルフをするとき、クラブは冷たくなってしまい、スイングするためにクラブを握ると指先から体温が奪われ、指先の細かい感覚を使うことができなかった。その結果、ミスショットや集中力の低下を招きスコアメイクに悪影響を与えていた。【解決手段】ゴルフバックに、軽量化された電源である、燃料電池を備え、収納されているゴルフクラブが必要な時に加熱されて、プレイ中は常に最適なグリップ温度にすることから、プレイヤーに快適なプレイ環境を提供することができる。【選択図】図１
2004180882.tif 000002
【特許請求の範囲】
【請求項１】
軽量化され利便性に優れた燃料電池を備え、収納されているゴルフクラブを使用時に快適な状態、つまり加熱装置などでグリップの温度を最適にすることができる機能を装備したことを特徴とするゴルフバック。
【請求項２】
請求項１のゴルフバックで、加熱装置の誤作動防止回路を備えたことを特徴とする、ゴルフバック。
【発明の詳細な説明】
【０００１】
【発明が属する技術分野】
本発明は、ゴルフバックに関するものである。
【０００２】
【従来の技術】
従来、ゴルフバックはゴルフクラブを収納し、ゴルフクラブの保護、運搬手段の道具としての位置づけであった。
【０００３】
【発明が解決しようとする課題】
その為、冬季など寒い気温条件でのプレイ時は、クラブは冷たくなってしまい、スイングするためにクラブを握ると指先から体温が奪われ、指先の細かい感覚を使うことができなかった。その結果、ミスショットや集中力の低下を招きスコアメイクに悪影響を与えていた。
【０００４】
【課題を解決するための手段】
本発明のゴルフバックは、軽量化された電源である、燃料電池を備え、収納されているゴルフクラブが必要な時に加熱されて、プレイ中は常に最適なグリップ温度にすることから、プレイヤーに快適なゴルフプレイ環境を提供することができる。
【０００５】
また、加熱時に誤作動を防止するために、安全回路を備え、クラブが収納されていないときに誤って過熱しないように配慮したことを特徴とする。
【０００６】
【発明の実施の形態】
図１に本発明のゴルフバックの実施例を示す。従来のゴルフバックに、３の燃料電池、６の加熱部（内壁）、７の加熱部（仕切り）で構成された加熱部を備え、誤動作防止として１３の感圧センサを装備していることを特徴とする。
【０００７】
図２に、請求項１のゴルフバックの加熱部作動フロー図を示す。８はヒータスイッチ、９はヒータの温度調節器、１０はバイメタルなどの物理的保護装置で、ある一定温度に達すると過熱防止として電源経路を遮断する機能を有する。１１はヒータの作動状態、１２は、ヒータの停止状態を示す。
【０００８】
このように、本発明のゴルフバックでは、冬季などのゴルフプレイのときに、８のヒータスイッチを入れると９のヒータ温度調節器により、ゴルフバック内側に配置された６の加熱部と７の加熱部の表面温度を２５℃〜５０℃の範囲で任意の温度に調節することから、収納されているゴルフクラブのグリップ部を中心に加熱することが可能である。ここで、６と７の加熱部はホットカーペットに使用される耐熱性の素材で、クラブに傷を付けないものとする。また５の加熱部長さは、４の全長に対して１／２〜１／４の長さとして、極力少ない面積で設置する。９の温度調節器が故障し異常過熱の際は、コタツなどに用いられるバイメタル式の物理的安全装置にて、電源回路を遮断し安全を確保する。
【０００９】
図３に、請求項２のゴルフバックの加熱部作動フロー図を示す。８はヒータスイッチ、９はヒータの温度調節器、１３はゴルフバックの底部に設置されたクラブの有無を検知する感圧センサ、１０はバイメタルなどの物理的保護装置で、ある一定温度に達すると過熱防止として電源経路を遮断する機能を有する。１１は、ヒータの作動状態、１２は、ヒータの停止状態を示す。
【００１０】
このように、請求項２のゴルフバックでは、冬季などのゴルフプレイのときに、８のヒータスイッチを入れると、９のヒータ温度調節器により、ゴルフバック内側に配置された６の加熱部と７の加熱部の表面温度を２５℃〜５０℃の範囲で任意の温度に調節することから、収納されているゴルフクラブのグリップ部を中心に加熱することが可能である。ここで、６と７の加熱部はホットカーペットに使用される耐熱性の素材で、クラブに傷を付けないものとする。また５の加熱部長さは、４の全長に対して１／２〜１／４の長さとして、極力少ない面積で設置する。９の温度調節器が故障し異常過熱の際は、コタツなどに用いられるバイメタル式の物理的安全装置にて、電源回路を遮断し安全を確保する。さらに、安全増し対策としてゴルフクラブが未収納時には作動しないように、バック底部に１３の感圧センサを設置することを特徴とする。ここで、回路構成として、感圧センサが検知していない時には、８のヒータスイッチが入らないようにすることも可能である。
【００１１】
なお、本発明は上述の実施例に限らず本発明の要旨を逸脱することなくその他多岐にわたる構成をとりえることはもちろんである。
【００１２】
【発明の効果】
本発明により、ゴルフプレイヤーは、冬季または寒冷地でのゴルフを快適に行うことができ、スコアメイクにつなげることができる。
【００１３】
【図面の簡単な説明】
【図１】本発明ゴルフバックの実施例を示す図である。
【図２】本発明、請求項１の実施例を示すフロー図である。
【図３】本発明、請求項２の実施例を示すフロー図である。
【符号の説明】
１、ゴルフバック
２、クラブ仕切り
３、燃料電池
４、全長
５、加熱部長さ
６、加熱部（内壁）
７、加熱部（仕切り）
８、ヒータスイッチ
９、ヒータ温度調節器
１０、物理的安全装置
１１、ヒータ  作動
１２、ヒータ  停止
１３、感圧センサ
【図１】
2004180882.tif 000003
【図２】
2004180882.tif 000004
【図３】
2004180882.tif 000005
(57)【要約】従来のドラム式洗濯乾燥機は、洗濯又は乾燥の機能に特化しており、洗濯を要する衣類や洗剤等の収納機能がなかったため、脱衣室が狭く乱雑になりがちだった。また、一般にドラム式洗濯乾燥機は衣類投入口が床面から数十センチメートルの高さにあるので、腰をかがめなければ洗濯物の出し入れが出来ず、作業が不便であった。【解決手段】床面から１メートル乃至１．２メートル程度の高さに洗濯槽の水平回転軸が来るようにドラム式洗濯乾燥機を持ち上げ、その結果生じた下部スペースに洗剤や衣類等の収納ケースを設け、これらを一体のハウジングに収納する。【選択図】図１
2004180883.tif 000002
【特許請求の範囲】
【請求項１】
床面から１メートル乃至１．２メートル程度の高さに洗濯槽の水平回転軸が来るようにドラム式洗濯乾燥機を持ち上げ、その結果生じた下部スペースに洗剤や衣類等の収納ケースを設け、これらが一体のハウジングに収納されたことを特徴とするドラム式洗濯乾燥機
【発明の詳細な説明】
【０００１】
【発明の属する技術分野】
この発明は、ドラム式洗濯乾燥機の形状に関する。
【０００２】
【従来の技術】
従来の洗濯機は、日本の家庭で一般的な渦巻き式洗濯機又は最近普及してきた図２に示すようなドラム式洗濯乾燥機のように、洗濯又は乾燥の機能に特化したものである。
【０００３】
【特許文献１】２００２−１２６３９５号公報
【特許文献２】２０００−２４５５４７号公報
【特許文献３】Ｈ１０−０９９５９０号公報
【０００４】
【発明が解決しようとする課題】
しかしながら、以上の従来技術によれば、洗剤や洗濯を要する衣類等の収納を別に設けなければならず、浴室に隣接した脱衣室に洗濯機を設置することの多い日本の家庭事情を考えると、脱衣室が狭く乱雑になりがちであった。
【０００５】また、ドラム式洗濯乾燥機は衣類投入口が床面から数十センチメートル程度の高さにあり、腰をかがめなければ洗濯物の出し入れができなかった。
【０００６】そこで、この発明は、衣類や洗剤等の収納機能を兼ね備え、かつ楽に洗濯物を出しいれできるドラム式洗濯機を提供することを課題とする。
【０００７】
【課題を解決するための手段】
以上の課題を解決するために、請求項１の発明は、床面から１メートル乃至１．２メートル程度の高さに洗濯槽の水平回転軸が来るようにドラム式洗濯乾燥機を持ち上げ、その結果生じた下部スペースに洗剤や衣類等の収納ケースを設け、これらが一体のハウジング内に収納されたことを特徴とするドラム式洗濯乾燥機である。
【０００８】
【発明の実施の形態】
この発明の一実施形態を、図１に示す。まず、洗濯機部分はドラム式洗濯乾燥機であることとし、全体の高さは、洗濯槽の水平回転軸が床面から１メートル乃至１．２メートル程度の高さになるように決定する。
【０００９】引き出しは洗濯機部分の直下にあり、洗剤等を収納できるものとする。脱衣かご収納庫は、図１のように支点により前に倒れるようにし、その中に脱衣かご収納庫の内寸法に合わせて、脱衣かごを横に２個収納できるようにする。本体は洗濯機部分と下部の収納部分を一体的に構成する。
【００１０】
【実施形態の効果】
この実施形態によれば、洗濯機の下部に洗剤や洗濯物を収納できるので、脱衣、洗濯、乾燥、物干し、片づけなどの一連の作業が洗濯機を中心に能率的に実施でき、限られた脱衣室のスペースを有効利用できる。
【００１１】また、ドラム式の洗濯機部分が１ｍ以上持ち上げられているので、概ね成人が直立した姿勢で胸の高さで洗濯物の出し入れができるため、作業が楽である。
【００１２】また、脱衣かごを２個収納できることで、色物と白いもの、または、汚れの少ないものとひどいものというように分別して洗濯物を収納できるので便利である。
【００１３】また、一般に、洗濯機は、ハウジングと洗濯槽の外槽の間に振動吸収等のための空隙が設けられているが、この空隙を収納部分に有効活用することにより、単に洗濯乾燥機と収納家具をあわせたよりもよりコンパクトに全体をまとめることができる。
【００１４】
【他の実施形態】
図１の実施形態では、洗濯機部分と収納部分が一体不可分の構造であったが、こん包や輸送の都合上これらを別に製作し、現場で組み合わせてもよい。この場合洗濯機部分と収納部分の接合部にゴムなどの緩衝素材を挟むことにより、振動や騒音をさらに軽減できる。
【００１５】
【発明の効果】
以上説明したように、この発明によれば、洗濯機が衣類や洗剤等の収納機能を兼ね備えているので、作業を効率的に行うことができ、脱衣室の整理整頓が容易になる。
【００１６】また、衣類投入口が腰より高い位置にあるので、洗濯物の出し入れが楽である。
【図面の簡単な説明】
【図１】この発明の一実施形態を示す斜視図である。
【図２】従来技術を示す斜視図である。
【符号の説明】
１  洗濯機操作パネル
２  衣類投入口
３  引き出し
４  脱衣かご収納庫
５  脱衣かご
【図１】
2004180883.tif 000003
【図２】
2004180883.tif 000004